【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
臭素種の水浸出に対する臭素化炭素質吸着剤の耐性を増強する方法であって、炭素質基材を少なくとも１つのオレフィン系の２重結合を含む液体または気体の状態の少なくとも１つの有機化合物に接触させ、臭素含有化合物を使用する前記炭素質基材の臭素化が、前記有機化合物との前記処理の前、その間、および／またはその後に行われ、少なくとも１つのオレフィン系の２重結合を含む前記有機化合物の量が前記臭素化炭素質吸着剤の合計重量に対して約０．５ｗｔ％〜約２０ｗｔ％の範囲であり、前記吸着剤が臭素含有化合物との接触後に臭素化炭素質吸着剤の重量に対して約０．１ｗｔ％〜約２０ｗｔ％の範囲の含有量の臭素を有している、方法。
【請求項２】
前記臭素化が、気体状の元素状臭素を用いて行なわれる、請求項１に記載の方法。
【請求項３】
前記臭素化が、前記有機化合物を使用する処理の前のみに、前記有機化合物を使用する処理の間のみに、または前記有機化合物を使用する処理の後のみに、行われる、請求項２に記載の方法。
【請求項４】
前記有機化合物が液体の状態である、請求項３に記載の方法。
【請求項５】
前記炭素質基材が粉末活性炭である、請求項１〜４のいずれかに記載の方法。
【請求項６】
水銀および／または水銀含有化合物および／もしくは種を気体流から除去する、および／または１つ以上の他の重金属または他の汚染物質を気体流および／またはスクラバーから除去するための方法であって、
ａ−ｉ）吸着剤を、水銀および／または１つ以上の他の重金属もしくは他の汚染物質を含有する気体流内に注入し、それによって、前記吸着剤を、水銀および／または水銀含有化合物および／または種、および／または１つ以上の他の重金属、もしくは他の汚染物質を、前記気体流から吸着するのに十分な量で、前記気体流の少なくとも一部に広く分散させる段階、および
ａ−ii）そのように処理された前記気体流から前記吸着剤を収集し、除去する段階、または、
ｂ）吸着剤を、半乾燥スクラバーまたは高含水スクラバーであるスクラバーデバイスの上流側の気体流に注入する段階、もしくは、
ｃ）吸着剤を、湿式スクラバーの上流側の気体流内に、または湿式スクラバーの液体内に直接に、注入する段階、を含み、
前記吸着剤が、炭素質基材を少なくとも１つのオレフィン系の２重結合を含む少なくとも１つの有機化合物に接触させることによって形成され、臭素含有化合物を使用する炭素質基材の臭素化が、前記有機化合物を使用する処理の前、その間、および／またはその後に行われ、少なくとも１つのオレフィン系の２重結合を含む前記有機化合物の量が前記臭素化炭素質吸着剤の合計重量に対して約０．５ｗｔ％〜約２０ｗｔ％の範囲であり、前記吸着剤が臭素含有化合物との接触後に臭素化炭素質吸着剤の重量に対して約０．１ｗｔ％〜約２０ｗｔ％の範囲の含有量の臭素を有している、方法。
【請求項７】
取り扱いまたは使用中に、水、水溶液、および／または水懸濁液に曝されるときの水浸出に対する増強された耐性を有する臭素化炭素質吸着剤であって、前記吸着剤が、請求項１〜３のいずれかに記載の方法によって形成された、臭素化炭素質吸着剤。
【請求項８】
少なくとも１つのオレフィン系の２重結合を含む前記有機化合物が、
１）  次の式で表される部分からなる単一のオレフィン系の２重結合を含む脂肪族または脂環式の部分を含有する有機脂肪族または脂環式化合物、
−ＣＨ＝ＣＨ−
もしくは、２つ以上のそのような化合物の混合物、または、
２）  次の式で表される部分からなる単一のオレフィン系の２重結合を含む脂肪族または脂環式の部分を含有する有機脂肪族または脂環式化合物、
−ＣＲ1＝ＣＲ2−
Ｒ1は、Ｃ1〜3のアルキル基であり、Ｒ2は、個別にＣ1〜3のアルキル基、または水素原子、または２つ以上のそのような化合物の混合物、または、
３）  ２重結合の共役または非共役対を含み、次の式で表される非環式の脂肪族有機化合物、
Ｒ1ＣＨ2＝ＣＨ−（Ｒ3）n−ＣＨ＝ＣＨＲ2
Ｒ1は、水素原子、または１〜約４個の範囲内の炭素原子を有するアルキル基、Ｒ2は、個別に水素原子、または２〜約４個の範囲内の炭素原子を有するアルキル基、およびＲ3
は、１〜約４個の範囲内の炭素原子を含むアルキレン基であり、ｎは０または１のいずれ
かである、もしくは２つ以上のそのような化合物の混合物、または、
４）  含まれないと飽和脂肪族５員環となるその中の２重結合の共役対、または含まれないと飽和脂肪族６〜１０員環系となるその中の２重結合の共役または非共役対、もしくは２つ以上のそのような化合物の混合物、または、
５）  芳香族環系に直接に結合した１つまたは２つのビニル置換基を含有する有機化合物、もしくは２つ以上のそのような化合物の混合物、である、請求項１〜６のいずれかに記載の方法。
【請求項９】
芳香族環系に直接に結合した１つまたは２つのビニル置換基を含む５）の前記有機化合物の前記芳香族環系が、置換もしくは無置換のベンゼン環である、請求項８に記載の方法。
【請求項１０】
少なくとも１つのオレフィン系の２重結合を含む前記有機化合物が、
１）  次の式で表される部分からなる単一のオレフィン系の２重結合を含む脂肪族または脂環式の部分を含有する有機脂肪族または脂環式化合物、
−ＣＨ＝ＣＨ−
もしくは、２つ以上のそのような化合物の混合物、または、
２）  次の式で表される部分からなる単一のオレフィン系の２重結合を含む脂肪族または脂環式の部分を含有する有機脂肪族または脂環式化合物、
−ＣＲ1＝ＣＲ2−
Ｒ1は、Ｃ1〜3のアルキル基であり、Ｒ2は、個別にＣ1〜3のアルキル基、または水素原子、または２つ以上のそのような化合物の混合物、または、
３）  ２重結合の共役または非共役対を含み、次の式で表される非環式の脂肪族有機化合物、
Ｒ1ＣＨ2＝ＣＨ−（Ｒ3）n−ＣＨ＝ＣＨＲ2
Ｒ1は、水素原子または１〜約４個の範囲内の炭素原子を有するアルキル基、Ｒ2は、個別に水素原子、または２〜約４個の範囲内の炭素原子を有するアルキル基、およびＲ3は
、１〜約４個の範囲内の炭素原子を含むアルキレン基であり、ｎは０または１のいずれかである、または２つ以上のそのような化合物の混合物、または、
４）  含まれないと飽和脂肪族５員環となるその中の２重結合の共役対、または含まれないと飽和脂肪族６〜１０員環系となるその中の２重結合の共役または非共役対、または２つ以上のそのような化合物の混合物、または、
５）  芳香族環系に直接に結合した１つまたは２つのビニル置換基を含有する有機化合物、もしくは２つ以上のそのような化合物の混合物、である、請求項７に記載の吸着剤。
【請求項１１】
５）の前記有機化合物の前記芳香族環系が、置換もしくは無置換のベンゼン環である、請求項１０に記載の吸着剤。
【請求項１２】
少なくとも１つのオレフィン系の２重結合を含む前記有機化合物が、次の式で表される部分からなる単一のオレフィン系の２重結合を含む脂肪族または脂環式の部分を含有する有機脂肪族または脂環式化合物、
−ＣＨ＝ＣＨ−
もしくは２つ以上のそのような化合物の混合物である、請求項８に記載の方法。
【請求項１３】
少なくとも１つのオレフィン系の２重結合を含む前記有機化合物が、シクロヘキセンである、請求項１２に記載の方法。
【請求項１４】
少なくとも１つのオレフィン系の２重結合を含む有機化合物が、臭素化炭素質吸着剤の合計重量に対して約１ｗｔ％〜約１５ｗｔ％の範囲の量である、および／または吸着
剤が、臭素含有化合物との接触後に臭素化炭素質吸着剤の重量に対して約０．５〜約１５ｗｔ％の範囲内の含有量の臭素を有する、請求項１〜６、８、９または１２〜１３のいずれかに記載の方法。
【請求項１５】
少なくとも１つのオレフィン系の２重結合を含む前記有機化合物が、次の式で表される部分からなる単一のオレフィン系の２重結合を含む脂肪族または脂環式の部分を含有する有機脂肪族または脂環式化合物、
−ＣＨ＝ＣＨ−
もしくは２つ以上のそのような化合物の混合物である、請求項１０に記載の吸着剤。
【請求項１６】
少なくとも１つのオレフィン系の２重結合を含む前記有機化合物が、シクロヘキセンである、請求項１５に記載の吸着剤。
【請求項１７】
少なくとも１つのオレフィン系の２重結合を含む有機化合物が、臭素化炭素質吸着剤の合計重量に対して約１ｗｔ％〜約１５ｗｔ％の範囲の量である、および／または吸着剤が、臭素含有化合物との接触後に臭素化炭素質吸着剤の重量に対して約０．５〜約１５ｗｔ％の範囲内の含有量の臭素を有する、請求項７、１０〜１１または１５〜１６のいずれかに記載の吸着剤。
【請求項１８】
段階ｂ）および／またはｃ）において注入が８×１０-6〜２４０×１０-6ｋｇ／ｍ3の割合で行なわれる、請求項６に記載の方法。